(57)【要約】      （修正有）【課題】間伐材や建築廃材等を有効利用することができ、省資源性、量産性に優れ、簡単な構造で各種建築物の屋根の上面や壁面などに短時間で簡単に覆設することができ、メンテナンスがほとんど不要で、容易に回収して再利用することもでき、施工性に優れ、屋根や壁面を確実かつ効率的に遮熱断熱して、冷暖房負荷を大幅に低減することができ、省エネルギー性、環境保護性に優れる遮熱断熱材を提供する。【解決手段】袋体１と、袋体１に充填された木チップとを備えることにより、既存の各種建築物の屋根の上面や壁面などに簡単に覆設することができ、屋根や壁面などを効果的に遮熱断熱して、冷暖房負荷を低減でき、施工性、省エネルギー性に優れる。【選択図】図１
0003179473.tif 000002
【実用新案登録請求の範囲】
【請求項１】
袋体と、前記袋体に収納された木チップと、を備えたことを特徴とする遮熱断熱材。
【請求項２】
前記袋体に形設された連結部又は前記袋体に配設された固定具の少なくともいずれか一つを備えたことを特徴とする請求項１に記載の遮熱断熱材。
【請求項３】
前記連結部が、前記袋体の少なくとも四隅に穿設された連結孔であることを特徴とする請求項２に記載の遮熱断熱材。
【請求項４】
前記連結部が、前記袋体の少なくとも四隅に配設された面ファスナであることを特徴とする請求項２に記載の遮熱断熱材。
【考案の詳細な説明】
【技術分野】
【０００１】
本考案は、建築廃材や間伐材等を原料とする木チップを収納した遮熱断熱材に関し、特に、プレハブ建築物や鶏舎などの各種建築物の屋根の上面や壁面などに覆設することにより、遮熱断熱して、室内の温度を維持し、冷暖房負荷を低減できる遮熱断熱材に関する。
【背景技術】
【０００２】
近年、住宅分野では、地球環境問題に配慮し、省エネルギー建築物を実現するための高断熱化が急速に進みつつある。一方、事務所や作業所などでは、冬季の夜間の利用があまりないことから、住宅ほど断熱化が行われていない。また、建設工事現場などで利用される仮設事務所などのプレハブ建築物は、金属製等の折板の屋根のみで屋根断熱が施されていないことが一般的である。屋根が鉄板などの折板と耐火被覆材だけで構成されている場合、日差しに影響されやすく、夏季における室温の上昇が激しいだけでなく、冬季においては、低温の外気の影響を受けて、室温が低くなるため、冷暖房のコストが高く、省エネルギー性に欠けるという問題がある。
一方、（特許文献１）には、植物を育成するための温室であって、該温室の辺縁部に形成された溝に、断熱材及び少なくとも間伐材または建設廃材を原料とする木材チップを含む林産物や穀類副産物などの植物性材料がネット状の袋に収納されてなる構造物を配設してなる温室が開示されている。
【先行技術文献】
【特許文献】
【０００３】
【特許文献１】特開２００７−６８４５号
【考案の概要】
【考案が解決しようとする課題】
【０００４】
しかしながら、上記従来の技術は以下のような課題を有していた。
（１）（特許文献１）は、少なくとも間伐材または建設廃材を原料とする木材チップを含む林産物や穀類副産物などの植物性材料がネット状の袋に収納されてなる構造体を用い、温室辺縁部の断熱材周りや温室内部に設置するものであり、構造体の地表覆蓋効果、構造体自体の発酵による発熱、構造体による太陽光の吸収により、温室部分の地温を高め凍結を防止し、暖房等の費用を節約するものであって、用途が限定されており、この構造体で建築物の屋根や壁面を覆って断熱することについては検討されていなかった。
（２）また、（特許文献１）は、厳寒期にハウス型の温室の屋根と外壁を取り外し、温室内部に構造体を敷き詰め、これに潅水しながら凍結させることにより、春季以降に保冷効果を発揮させるものであり、用途が限定されており、この構造体で建築物の屋根や壁面を覆って遮熱することについては検討されていなかった。
（３）以上のことから、十分な断熱、遮熱が施されていない既存のプレハブ建築物や鶏舎などの各種建築物の屋根の上面や壁面などに簡単に覆設して固定することができ、屋根や壁面を確実かつ効率的に遮熱断熱することができる施工性に優れた遮熱断熱材の開発が望まれていた。
【０００５】
本考案は、上記課題を解決するもので、建築廃材や間伐材等を有効利用することができ、省資源性、量産性に優れ、簡単な構造で各種建築物の屋根の上面や壁面などに短時間で簡単に覆設することができ、メンテナンスがほとんど不要で、容易に回収して再利用することもでき、施工性に優れ、屋根や壁面を確実かつ効率的に遮熱断熱して、冷暖房負荷を大幅に低減することができ、省エネルギー性、環境保護性に優れる遮熱断熱材の提供を目的とする。
【０００６】
本考案の請求項１に記載の遮熱断熱材は、袋体と、前記袋体に収納された木チップと、を備えた構成を有している。
この構成により、以下のような作用を有する。
（１）袋体に木チップが収納されているので、既存の各種建築物の屋根の上面や壁面などに簡単に覆設することができ、屋根や壁面などを効果的に遮熱断熱して、冷暖房負荷を低減でき、メンテナンスがほとんど不要で、施工性、省エネルギー性に優れる。
（２）袋体に収納する木チップとして、建築廃材や間伐材等を有効利用することができ、量産性、省資源性、環境保護性に優れる。
（３）各種建築物の屋根の上面や壁面などに覆設されるので、容易に回収して再利用することもでき、省資源性、再利用性に優れる。
【０００７】
ここで、袋体の材質としては、ポリエチレン、ポリプロピレンなどの合成樹脂が好適に用いられる。透水性、通水性のない袋体に木チップを収納することにより、木チップが吸水、吸湿することがなく、木チップの腐食を防止して、長期間に渡って遮熱性、断熱性を維持することができ、品質の安定性、耐久性に優れるためである。尚、袋体は、対紫外線強化剤を添加することにより、日光に対する耐劣化性を向上させることができ、長寿命性に優れる。
木チップの原料としては、建築廃材や間伐材等が用いられるが、特に、ラワンを主とした南洋材の合板や杉材等の型枠工事廃材が好適に用いられる。廃材を利用することにより、材料を入手し易く、低コスト性、量産性、環境保護性に優れるためである。
木チップの寸法は適宜、選択することができるが、幅２０ｍｍ〜３０ｍｍ、長さ３０ｍｍ〜８０ｍｍ、厚さ１０ｍｍ〜３０ｍｍのものが好適に用いられる。木チップが幅２０ｍｍ、長さ３０ｍｍ、厚さ１０ｍｍより小さくなるにつれ、収納率が上がり、重量が増して取扱い性、搬送性が低下し易くなる傾向があり、幅３０ｍｍ、長さ８０ｍｍ、厚さ３０ｍｍより大きくなるにつれ、袋体を傷付けて破損させ易くなる傾向があり、いずれも好ましくない。
予め底部側が溶着された袋体に木チップを収納し、上部側の開口部を溶着や縫着等で接合することにより、遮熱断熱材を形成することができる。
尚、木チップと共に、木チップと略同じ大きさか少し大きめのセメント片やコンクリート片を収納してもよい。重量があるので、風等により遮熱断熱材が吹き飛ばされるのを防止できる。
【０００８】
請求項２に記載の考案は、請求項１に記載の遮熱断熱材であって、前記袋体に形設された連結部又は前記袋体に配設された固定具の少なくともいずれか一つを備えた構成を有している。
この構成により、請求項１の作用に加え、以下のような作用を有する。
（１）袋体に形設された連結部又は袋体に配設された固定具の少なくともいずれか一つを有することにより、各種建築物の屋根の上面や壁面などに袋体を覆設する際に、隣接する袋体同士を簡単に連結することや、袋体を屋根の上面や壁面などに確実に固定することができ、袋体の脱落や飛散などが発生せず、施工性、固定安定性に優れる。
（２）袋体に形設された連結部を利用して、屋根の上面や壁面などに袋体を固定することもでき、施工性、取扱い性、汎用性に優れる。
【０００９】
ここで、連結部は袋体同士を連結できるものであればよいが、袋体に連結孔を設け、紐体、合成樹脂製のバンド、金属製の金具などでつなぎ止めるものや両面テープや面ファスナなどで貼り合わせるものなどが好適に用いられる。
連結部は、隣接する前後左右の袋体同士を連結するために、袋体の少なくとも四隅に形設することが好ましいが、袋体の外周の要所に適宜、設けることができる。
また、固定具は、袋体を屋根の上面や壁面、手摺等の建築構造物などに固定できるものであればよい。袋体の周縁に配設した環状の紐体を屋根の上面や壁面などに取付けたフックなどに係止して固定するもの、袋体の裏面に配設した両面テープなどで貼付けて固定するものなどが好適に用いられる。
固定具として環状の紐体などを用いる場合、前述の連結孔を利用して紐体などの固定具を取付けてもよいし、袋体同士の連結に用いる連結部の紐体で固定具を兼用してもよい。尚、袋体同士を連結部で連結している場合は、全ての袋体を屋根の上面や壁面などに固定する必要はなく、要所の袋体を適宜、選択して固定することができる。また、袋体と建築構造物を固定する代わりに、袋体に錘を取付けて、袋体の飛散を防止してもよい。
【００１０】
請求項３に記載の考案は、請求項２に記載の遮熱断熱材であって、前記連結部が、前記袋体の少なくとも四隅に穿設された連結孔である構成を有している。
この構成により、請求項２の作用に加え、以下のような作用を有する。
（１）連結部が、袋体の少なくとも四隅に穿設された連結孔であるので、屋根の上面などに覆設した際に隣接する前後左右の袋体同士を紐体、合成樹脂製のバンド、金属製の金具などで簡単に連結して一体化することができ、袋体の脱落や飛散などを効果的に防ぐことができ、施工性、連結の確実性に優れる。
ここで、連結孔は袋体の底部側や上部側の溶着部等の接合部に形成することが好ましいが、連結孔の数や配置は、袋体の大きさなどに応じて、適宜、選択することができる。尚、連結孔をハトメで補強することにより、袋体の破損を防止することができ、耐久性に優れる。
【００１１】
請求項４に記載の考案は、請求項２に記載の遮熱断熱材であって、前記連結部が、前記袋体の少なくとも四隅に配設された面ファスナである構成を有している。
この構成により、請求項２の作用に加え、以下のような作用を有する。
（１）連結部が、袋体の少なくとも四隅に配設された面ファスナであるので、屋根の上面などに覆設した際に隣接する前後左右の袋体同士を容易に連結して一体化することができ、袋体の脱落や飛散などを効果的に防ぐことができるだけでなく、着脱や回収が容易で、施工性、取扱い性に優れる。
ここで、面ファスナは、屋根の上面などに覆設した際に隣接する前後左右の袋体同士を連結するために、袋体の少なくとも四隅に配設されるが、面ファスナの数や配置は、袋体の大きさなどに応じて、適宜、選択することができる。また、袋体の底部側や上部側の溶着部の全長に渡って面ファスナを配設してもよい。
【考案の効果】
【００１２】
本考案の遮熱断熱材によれば、以下のような効果が得られる。
請求項１に記載の考案によれば、以下のような効果を有する。
（１）既存の各種建築物の屋根の上面や壁面などに簡単に覆設することができ、屋根や壁面などを効果的に遮熱断熱して、冷暖房負荷を低減できる施工性、省エネルギー性に優れた遮熱断熱材を提供することができる。
【００１３】
請求項２に記載の考案によれば、請求項１の効果に加え、以下のような効果を有する。
（１）各種建築物の屋根の上面や壁面などに袋体を覆設する際に、隣接する袋体同士を簡単に連結することや、袋体を屋根の上面や壁面などに確実に固定することができ、袋体の脱落や飛散などが発生しない施工性、固定安定性に優れた遮熱断熱材を提供することができる。
【００１４】
請求項３に記載の考案によれば、請求項２の効果に加え、以下のような効果を有する。
（１）屋根の上面などに覆設した際に隣接する前後左右の袋体同士を紐体、合成樹脂製のバンド、金属製の金具などで簡単に連結して一体化することができ、袋体の脱落や飛散などを効果的に防止できる施工性、連結の確実性に優れた遮熱断熱材を提供することができる。
【００１５】
請求項４に記載の考案によれば、請求項２の効果に加え、以下のような効果を有する。
（１）屋根の上面などに覆設した際に隣接する前後左右の袋体同士を容易に連結して一体化することができ、袋体の脱落や飛散などを効果的に防ぐことができるだけでなく、着脱や回収が容易で、施工性、取扱い性に優れた遮熱断熱材を提供することができる。
【図面の簡単な説明】
【００１６】
【図１】（ａ）実施の形態１の遮熱断熱材の袋体を示す模式斜視図  （ｂ）実施の形態１の遮熱断熱材を示す模式斜視図
【図２】（ａ）実施の形態１の遮熱断熱材を屋根の上面に覆設した状態を示す要部模式斜視図  （ｂ）実施の形態１の遮熱断熱材の連結部を示す拡大模式斜視図
【図３】（ａ）実施の形態２の遮熱断熱材の連結状態を示す模式側面図  （ｂ）実施の形態２の遮熱断熱材の連結部を示す要部拡大模式側面図
【図４】温度測定の結果を示す図
【考案を実施するための形態】
【００１７】
（実施の形態１）
本考案の実施の形態１における遮熱断熱材について、以下、図面を用いて説明する。
図１（ａ）は実施の形態１の遮熱断熱材の袋体を示す模式斜視図であり、図１（ｂ）は実施の形態１の遮熱断熱材を示す模式斜視図である。
図１（ａ）中、１はポリエチレン、ポリプロピレンなどの合成樹脂で形成された実施の形態１の遮熱断熱材の袋体、１ａは袋体１の底部側の溶着部、１ｂは袋体１の上部側の開口部である。
図１（ｂ）中、２は袋体１に間伐材や建設廃材などの木チップを収納した後に開口部１ｂを溶着して溶着部１ｃを形成することにより得られる実施の形態１の遮熱断熱材、３は溶着部１ａ，１ｃの両端部にそれぞれ２箇所ずつ穿設された遮熱断熱材２の四隅の連結部としての連結孔である。
本実施の形態では、間伐材や建設廃材などを幅２０ｍｍ〜３０ｍｍ、長さ３０ｍｍ〜８０ｍｍ、厚さ１０ｍｍ〜３０ｍｍに破砕した木チップを袋体１に収納して遮熱断熱材２を形成した。
連結孔３はハトメで補強し、袋体１の破損を防止した。尚、連結孔３は遮熱断熱材２の設置場所や収納物の内容によっては設けなくてもよい。すなわち、遮熱断熱材２を突条間に挟み込んでいる場合や収納物としてコンクリート片を介在させた場合などである。
【００１８】
以上のように構成された実施の形態１の遮熱断熱材の使用方法について説明する。
図２（ａ）は実施の形態１の遮熱断熱材を屋根の上面に覆設した状態を示す要部模式斜視図であり、図２（ｂ）は実施の形態１の遮熱断熱材の連結部を示す拡大模式斜視図である。
図２中、４は隣接する遮熱断熱材２の連結孔３に挿通され袋体１同士をつなぎ止める紐体、合成樹脂製のバンド、金属製の金具などの連結具、５は連結された複数の遮熱断熱材２の内の端の遮熱断熱材２の連結孔３に取付けられ環状に形成された紐体を用いた遮熱断熱材２の固定具、１０はプレハブ建築物や鶏舎などの屋根の折板、１１は折板１０の外周を囲繞する周壁部、１２は周壁部１１の内側に配設され遮熱断熱材２の固定具５が掛け止めされるフックである。
【００１９】
実施の形態１の遮熱断熱材２を折板１０の上面に覆設しながら、連結具４により隣接する遮熱断熱材２の連結孔３をつなぎ止め、上下左右の袋体１同士を連結、一体化する。
そして、連結された複数の遮熱断熱材２の内の端の遮熱断熱材２の連結孔３に取付けられた固定具５を周壁部１１の内側に配設されたフック１２に掛け止めることにより、遮熱断熱材２を屋根に固定する。
遮熱断熱材２は、バラバラの状態で折板１０の上面に敷いた後、連結具４で順次連結してもよいし、予め連結具４で一列単位或いは複数列単位で連結した複数の遮熱断熱材２をまとめて折板１０の上面に覆設してもよい。
本実施の形態では、固定具５として環状に形成された紐体を用いてフック１２で固定したが、固定具５はこれに限定されるものではなく、遮熱断熱材２と折板１０や周壁部１１を要所で固定できるものであればよい。例えば、両面テープや面ファスナなどの固定具を用いて、遮熱断熱材２の裏面側を折板１０の表面に貼付けて固定してもよい。また、複数の遮熱断熱材２同士を連結孔３などを利用して連結している場合や固定具５を用いなくても遮熱断熱材２を十分に固定できる場合は固定具５による固定を省略してもよい。
尚、本実施の形態では、遮熱断熱材２を屋根の上面に覆設したが、壁面に覆設することもできる。
【００２０】
以上のように構成された本考案の実施の形態１における遮熱断熱材によれば、以下の作用を有する。
（１）袋体に木チップやコンクリート片等が収納されているので、既存の各種建築物の屋根の上面や壁面などに簡単に覆設することができ、屋根や壁面などを効果的に遮熱断熱して、冷暖房負荷を低減でき、メンテナンスがほとんど不要で、施工性、省エネルギー性に優れる。
（２）袋体に収納する木チップとして、建築廃材や間伐材等を有効利用することができ、量産性、省資源性、環境保護性に優れる。
（３）袋体に形設された連結部を有することにより、各種建築物の屋根の上面や壁面などに袋体を覆設する際に、隣接する袋体同士を簡単に連結することができ、袋体の脱落や飛散などが発生せず、施工性、固定安定性に優れる。
（４）袋体に形設された連結部を利用して、屋根の上面や壁面などに袋体を固定することもでき、施工性、取扱い性、汎用性に優れる。
（５）各種建築物の屋根の上面や壁面などに覆設されるので、容易に回収して再利用することもでき、省資源性、再利用性に優れる。
（６）連結部が、袋体の少なくとも四隅に穿設された連結孔であるので、屋根の上面などに覆設した際に隣接する前後左右の袋体同士を紐体、合成樹脂製のバンド、金属製の金具などで簡単に連結して一体化することができ、袋体の脱落や飛散などを効果的に防ぐことができ、施工性、連結の確実性に優れる。
（７）袋体に配設された固定具を備えることにより、屋根の上面や壁面などに覆設する際に、袋体を屋根の上面や壁面などに確実に固定することができ、施工性、固定安定性、耐久性に優れる。
【００２１】
（実施の形態２）
本考案の実施の形態２における遮熱断熱材について、以下、図面を用いて説明する。尚、実施の形態１と同様のものには同一の符号を付して説明を省略する。
図３（ａ）は実施の形態２の遮熱断熱材の連結状態を示す模式側面図であり、図３（ｂ）は実施の形態２の遮熱断熱材の連結部を示す要部拡大模式側面図である。
図３中、実施の形態２の遮熱断熱材２ａが実施の形態１と異なるのは、連結孔３及び連結具４の代わりに、連結部として袋体１の溶着部１ａ，１ｃに配設された１対の面ファスナ３ａ，３ｂを備えている点である。隣接する遮熱断熱材２ａの面ファスナ３ａ，３ｂを貼り合わせるだけで、前後左右の袋体１を簡単に連結することができる。
尚、面ファスナ３ａ，３ｂは、袋体１の少なくとも四隅に配設されるが、袋体１の底部側や上部側の溶着部１ａ，１ｃの全長に渡って配設してもよく、面ファスナ３ａ，３ｂの数や配置は、袋体１の大きさなどに応じて、適宜、選択することができる。
【００２２】
以上のように構成された本考案の実施の形態２における遮熱断熱材によれば、実施の形態１の（１）乃至（５），（７）に加え、以下の作用を有する。
（１）連結部が、袋体の少なくとも四隅に配設された面ファスナであるので、屋根の上面などに覆設した際に隣接する前後左右の袋体同士を容易に連結して一体化することができ、袋体の脱落や飛散などを効果的に防ぐことができるだけでなく、着脱や回収が容易で、施工性、取扱い性に優れる。
【実施例】
【００２３】
以下、本考案を実施例により具体的に説明する。なお、本考案はこれらの実施例に限定されるものではない。
実施の形態１と同様にして作製した遮熱断熱材２（縦４００ｍｍ、横４００ｍｍ、厚さ１００〜１５０ｍｍ、質量は３ｋｇ〜４ｋｇ）をプレハブ建築物のトタン屋根の折板１０の上面（縦５５００ｍｍ、横５７００ｍｍ）全体に覆設した。使用した遮熱断熱材２の数は、縦１５個×横１６個の合計２４０個であった。
そして、所定時間経過毎に、気温Ｔ０、遮熱断熱材表面温度Ｔ１、屋根折板表面温度Ｔ２を測定した。尚、測定には株式会社クレセル製デジタルＩＮ−ＯＵＴ温度計（品番ＡＰ−０７Ｗ）を使用した。
【００２４】
図４は温度測定の結果を示す図である。尚、横軸は時刻、縦軸は温度を示している（図４中、遮熱断熱材表面温度Ｔ１の最高温度は７０℃となっているが、これは温度計計測限界の７０℃を超えたためであり、実際には７０℃を超えている。）。
図４から明らかなように、気温Ｔ０が２９℃〜３４℃の間で変動したのに対し、遮熱断熱材表面温度Ｔ１は、測定開始時の３９℃からピーク時まで３０℃以上の温度上昇が見られるが、屋根折板表面温度Ｔ２は、測定開始時の３１℃からピーク時の３８℃まで７℃しか温度が上昇しておらず、気温Ｔ０との温度差も最大で７℃以下に抑えられていることがわかる。
以上の結果から、本考案の遮熱断熱材は、プレハブ建築物等の屋根の上面等に覆設することにより、夏季は十分な遮熱効果を実現し、冷房負荷を低減することができるものと言える。また、同様に、冬季は十分な断熱効果を実現し、暖房負荷を低減することができるものと推察される。
よって、遮熱断熱材を備えていないプレハブ建築物等の屋根や壁面などに本考案の遮熱断熱材を覆設することにより、手軽に遮熱断熱を行うことができ、省エネルギー化、環境保護に貢献できるものと考えられる。
【産業上の利用可能性】
【００２５】
本考案は、建築廃材や間伐材等を有効利用することができ、省資源性、量産性に優れ、簡単な構造で各種建築物の屋根の上面や壁面などに短時間で簡単に覆設することができ、メンテナンスがほとんど不要で、容易に回収して再利用することもでき、施工性に優れ、屋根や壁面を確実かつ効率的に遮熱断熱して、冷暖房負荷を大幅に低減することができ、省エネルギー性、環境保護性に優れる遮熱断熱材の提供を行うことができ、既存のプレハブ建築物や鶏舎などの各種建築物の遮熱断熱に役立てることができる。
【符号の説明】
【００２６】
１  袋体
１ａ，１ｃ  溶着部
１ｂ  開口部
２，２ａ  遮熱断熱材
３  連結孔
３ａ，３ｂ  面ファスナ
４  連結具
５  固定具
１０  折板
１１  周壁部
１２  フック
【図１】
0003179473.tif 000003
【図２】
0003179473.tif 000004
【図３】
0003179473.tif 000005
【図４】
0003179473.tif 000006